(57)【特許請求の範囲】
【請求項１】
開口に第１の戸と第２の戸が第１の戸を前にして引き違いに設けられ、
前記第１の戸の前面に第１の戸の全幅に略等しい長さの第１手摺が、また、第２の戸の前面に第２の戸の全幅に略等しい長さの第２手摺が、それぞれ各戸のスライド方向に延在されるとともに、戸のスライド時に相互が干渉しないように配置されて設けられ、
前記第１手摺は、前記第１の戸に固定され、
前記第２手摺は、開口の端部側の一端部が前記第２の戸に支持されているとともに、他端部が第１手摺に相対スライド可能に支持されていることを特徴とする引き違い戸。
【請求項２】
前記第１手摺に沿ってガイドレールが設けられ、
前記第２手摺の他端部には、前記ガイドレールにスライド可能に挿入されたスライダが取り付けられていることを特徴とする請求項１に記載の引き違い戸。
【請求項３】
前記開口は、廊下と部屋とを区画する壁に設けられ、
前記第１・第２各手摺は、前記廊下に沿って壁面に取り付けられている手摺と同じ高さに配置されていることを特徴とする請求項１または２に記載の引き違い戸。
【発明の詳細な説明】
【０００１】
【産業上の利用分野】
本発明は、襖や戸などの建物の開口を開閉する建具や、靴箱などのキャビネットの開閉を行う戸などのように住宅内に用いられる引き違い戸に関する。
【０００２】
【従来の技術】
住宅では、高齢者あるいは足腰が不自由な人への対応の１つの手段として、図４に示すように廊下０１の壁面０２あるいは階段の壁面に沿って手摺０３を取り付けることが成されている。
【０００３】
しかしながら、図４に示すように廊下０１の途中に襖などの引き違い戸０４が設けられている場合、前記壁面０２がこの引き違い戸０４の部分で途切れることから手摺０３もこの部分で途切れてしまうもので、歩行の補助として十分な機能が果たされていないという問題があった。また、図５に示すように廊下０１の先端に玄関０５が設けられ、この玄関０５に図示のように埋込式あるいは設置式の収納用のキャビネット０６が設けられ、廊下０１の壁面０２がキャビネット０６で途切れている場合も、壁面０２に沿って設けられた手摺０３がこのキャビネット０６の部分で途切れてしまい、玄関０５まで歩行の補助を行うことができず、十分な補助機能が得られないという問題があった。
【０００４】
すなわち、従来の引き違い戸にあっては、手摺が設けられたものがなく歩行の補助あるいは立ち座りの補助を行うことができなかった。
【０００５】
ところで、戸の位置でも歩行の補助を行うことができる可能性のあるものとして、特開平２−２７０８３号公報に記載された建具振れ止め装置がある。この装置は、図６に示すように壁面０２に沿って設けられた手摺０３を吊戸式の建具０７の走行方向に延在し、建具０７の前面には、前記手摺０３を相対摺動可能に挿入させたパイプ０８を取り付け、建具０７が手摺０３に支持された状態で手摺０３に沿ってスライドするように構成されている。したがって、建具０７を閉じた状態では、建具０７の位置に手摺０３に連続したパイプ０８が配置されているため、このパイプ０８を手摺として使用することが可能である。
【０００６】
【発明が解決しようとする課題】
しかしながら、この技術を引き違い戸に適用しようとしても、すなわち、図６において壁の０９で示す部分をもう一方の戸とする引き違い戸を構成した場合、このもう一方の戸を開いたときに開口の部分に手摺０３が存在して出入りすることができない。よって、引き違い戸として機能せず、上記公報の技術は引き違い戸には適用できないものであった。
【０００７】
本発明は、上述の従来の問題点に着目してなされたもので、引き違い戸に手摺を設けて歩行あるいは立ち座りの補助を行えるようにして、壁面部分と連続して前記補助を行えるようにすることを目的としている。
【０００８】
【課題を解決するための手段】
上述の目的を達成するために、本発明の引き違い戸は、開口に第１の戸と第２の戸が第１の戸を前にして引き違いに設けられ、前記第１の戸の前面に第１の戸の全幅に略等しい長さの第１手摺が、また、第２の戸の前面に第２の戸の全幅に略等しい長さの第２手摺が、それぞれ各戸のスライド方向に延在されるとともに、戸のスライド時に相互が干渉しないように配置されて設けられ、前記第１手摺は、前記第１の戸に固定され、前記第２手摺は、開口の端部側の一端部が前記第２の戸に支持されているとともに、他端部が第１手摺に相対スライド可能に支持されている構成とした。
【０００９】
また、請求項２記載の発明では、前記第１手摺に沿ってガイドレールが設けられ、前記第２手摺の他端部には、前記ガイドレールにスライド可能に挿入されたスライダが取り付けられている構成とした。
【００１０】
また、請求項３記載の発明では、前記開口は、廊下と部屋とを区画する壁に設けられ、前記第１・第２各手摺は、前記廊下に沿って壁面に取り付けられている手摺と同じ高さに配置されている構成とした。
【００１１】
【作用】
本発明の引き違い戸では、全閉時には、第１・第２の各戸に設けられた第１手摺と第２手摺とが連続した状態で、引き違い戸の前面の全幅に亘って延在される。したがって、この範囲で歩行を補助することができる。よって、請求項３に記載のように、廊下の壁面に沿って手摺が設けられ、この壁面の途中に引き違い戸が設けられている場合でも、手摺が引き違い戸の部分で途切れることなく連続させることができる。
【００１２】
また、引き違い戸の開閉時には、第１の戸と第２の戸との相対移動に伴って、第２手摺の他端が第１手摺に沿ってスライドする。したがって、第１・第２手摺が引き違い戸の開閉を妨げるといったことがないとともに、各戸を移動させて開いた開口の部分に手摺が存在することがなく、この開口の出入りを邪魔することがない。
【００１３】
なお、請求項２記載のものでは、上記開閉時に第２手摺の他端に取り付けたスライダが第１手摺に設けたガイドレールに沿ってスライドする。
【００１４】
【実施例】
本発明実施例を図面に基づいて説明する。
図１は、本発明の実施例の引き違い戸Ａを示す平面図であって、この引き違い戸Ａは、廊下１と部屋２とを区画する壁３の開口に設けられ、建具枠４と、この建具枠４内に引き違いに設けられた第１襖（第１の戸）５ならびに第２襖（第２の戸）６とを備えている。なお、前記壁３には、壁３と平行に木製の手摺７，８が設けられており、各手摺７，８は、同軸に配置されている。また、図中左側の手摺８の右側の先端部は、円形の端面８ａが図中右側を向いた形状に形成されており、一方、図中右側の手摺７の左側の先端部は、円形の端面７ａを廊下１側に向けて形成されている。
【００１５】
各襖５，６には、それぞれ廊下１側の面にそれぞれ前記手摺７，８と同径の木製の第１手摺９，第２手摺１０が設けられている。すなわち、前記第１襖５に設けられている第１手摺９は、各手摺７，８，１０よりも廊下１に突出する方向に位置をずらして配置されており、その軸方向の両端部をブラケット９ａ，９ａを介して第１襖５に強固に支持されている。また、この第１手摺９は、図中左右の先端部において円形の端面９ｂ，９ｃを室内２の方向に向けて形成されており、引き違い戸Ａの全閉時には、端面９ｂは、前記手摺７の端面７ａと対向される。そして、前記第１手摺９の内部には、図２の断面図に示すように、第１襖５側に開口を有した樹脂製のガイドレール９ｄが第１手摺９の略全長に亘って設けられている。なお、前記ブラケット９ａは、図２に示すように、第１手摺９の上方位置に配置されている。ちなみに、図２は、図１において第２手摺１０が想像線で示す位置に移動した状態におけるＳ２−Ｓ２断面である。
【００１６】
一方、前記第２襖６の第２手摺１０は、壁３の手摺７，８と同軸に配設され、図１において左側の先端部の端面１０ａは、引き違い戸Ａの全閉時に前記手摺８の端面８ａと対向するように図中左側を向いて形成されている一方で、図中右側の先端部の端面１０ｂは、引き違い戸Ａの全閉時に前記第１手摺９の端面９ｃと対向するように廊下１側向きに形成されている。また、前記第２手摺１０は、図中左側の端部がブラケット１０ｃを介して第２襖６に強固に固定されている一方で、図中右側の端部は、図３に示すように前記端面１０ｂに固定されたステンレス製のスライダ１０ｄの廊下１側に突出した頭部１０ｅを、前記ガイドレール９ｄの内部にスライド自在であるとともに図２において水平方向で係合するように差し込むことで前記第１手摺９に支持されている。
【００１７】
本実施例の引き違い戸Ａでは、上述のように構成したため、引き違い戸Ａを全閉としたときには、図１に示すように引き違い戸Ａの部分で途切れることなく各手摺７，８，９，１０が連続して配置される。したがって、引き違い戸Ａの部分でも各手摺９，１０を伝い歩きすることができる。
【００１８】
また、引き違い戸Ａの開閉の際には、第２手摺１０の図１の右側端部は、第１手摺９のガイドレール９ｄに沿ってスライドするから、第２襖６を開いたときには第２手摺１０も一緒に移動して開口の部分に残ることがないから、廊下１と部屋２との間の移動の邪魔にはならない。なお、第１手摺９を支持するブラケット９ａ，９ａは、第１手摺９よりも上方位置に配置されているから、第２手摺１０が第１手摺９に対してスライドする際には、ブラケット９ａと干渉することがなくスライドが妨げられない。
【００１９】
以上、実施例について説明してきたが具体的な構成はこの実施例に限られるものではなく、本発明の要旨を逸脱しない範囲の設計変更などがあっても本発明に含まれる。例えば、第１手摺と第２手摺を同軸に設け、第１手摺を中空パイプとし第２手摺は第１手摺の中空部に挿入されてスライド可能に支持されるものであってもよい。ただし、第１手摺は中空パイプとしても手摺として十分な強度が要求されるのは当然である。
【００２０】
実施例では、引き違い戸の第１・第２の戸として廊下１と部屋２とを区画する建具である襖を示したが、襖以外の建具に適用することができるし、あるいは、図５に示すキャビネットを開閉する戸にも適用できる。
【００２１】
【発明の効果】
以上説明してきたように、請求項１〜３に記載した各引き違い戸にあっては、引き違いに設けられた第１の戸と第２の戸のそれぞれに第１手摺，第２手摺を設け、第１手摺は第１の戸に強固に固定する一方、第２手摺は、開口の端部側の一端部を第２の戸に支持させるとともに、他端部を第１手摺に相対スライド可能に支持させた構成としたため、引き違い戸の全閉時には、第１手摺と第２手摺が引き違い戸の略全幅に亘って延在され、この引き違い戸の部分でも歩行の補助を行うことができ、また、第１の戸と第２の戸のいずれを開いた場合でも、第１手摺と第２手摺とが相対スライドして、いずれの手摺も開口の部分に存在することがなく、出入りの邪魔になることがないという効果が得られる。
【００２２】
また、請求項３記載の引き違い戸にあっては、第１・第２手摺を、廊下に沿って壁面に取り付けられている手摺と同じ高さに配置させたため、引き違い戸の全閉時には、廊下の手摺と同じ高さで第１・第２手摺が延在されるため、廊下の手摺が引き違い戸で途切れることがないという効果が得られる。
【図面の簡単な説明】
【図１】本発明実施例の引き違い戸を示す一部を断面した平面図である。
【図２】図１において第２手摺が想像線で示す位置に移動した状態におけるＳ２−Ｓ２断面図である。
【図３】第２手摺の要部を示す斜視図である。
【図４】従来技術を示す斜視図である。
【図５】従来技術を示す平面図である。
【図６】従来技術を示す斜視図である。
【符号の説明】
Ａ  引き違い戸
１  廊下
３  廊下
５  第１襖（第１の戸）
６  第２襖（第２の戸）
７，８  手摺
９  第１手摺
９ｄ  ガイドレール
１０  第２手摺
１０ｄ  スライダ
【図１】
0003579471.tif 000002
【図２】
0003579471.tif 000003
【図３】
0003579471.tif 000004
【図４】
0003579471.tif 000005
【図５】
0003579471.tif 000006
【図６】
0003579471.tif 000007